(57)【要約】      （修正有）【課題】多機能携帯通信端末やタブレット端末などの画面を、片手の指先でも円滑に安定良くタッチ操作できる片手操作補助用具を提供する。【解決手段】多機能携帯電話器やタブレット端末、その他の携帯通信端末Ｐ又はその保護カバーの背後面１１へ着脱自在に貼り付け使用する片手操作補助用具であって、ゴムや合成樹脂、熱可塑性エラストマーなどの粘着力と弾力性を併有する物質のマット体１０から成り、その表面へマット体１０の粘着力によって、１個又は複数個の指先挿入孔１３が開口する合成樹脂のマスキングシート１２を貼り合わせると共に、同じくマット体１０の裏面へその粘着力又は別個な接着剤を介して、合成樹脂又は紙の離型シートを貼り合わせた。【選択図】図３
0003173582.tif 000002
【実用新案登録請求の範囲】
【請求項１】
多機能携帯電話器やタブレット端末、その他の携帯通信端末又はその保護カバーの背後面へ着脱自在に貼り付け使用する片手操作補助用具であって、
ゴムや合成樹脂、熱可塑性エラストマーなどの粘着力と弾力性を併有する物質のマット体から成り、
そのマット体の表面へ上記粘着力によって、１個又は複数個の指先挿入孔が開口する合成樹脂のマスキングシートを貼り合わせると共に、
同じくマット体の裏面へ上記粘着力又は別個な接着剤を介して、合成樹脂又は紙の離型シートを貼り合わせたことを特徴とする携帯通信端末の片手操作補助用具。
【請求項２】
マスキングシートに開口する指先挿入孔を、点線状態又はハーフカット状態の未完成な型抜き加工片によって予じめ閉塞したことを特徴とする請求項１記載の携帯通信端末の片手操作補助用具。
【請求項３】
多機能携帯電話器やタブレット端末、その他の携帯通信端末又はその保護カバーの背後面へ着脱自在に貼り付け使用する片手操作補助用具であって、
ゴムや合成樹脂、熱可塑性エラストマーなどの粘着力と弾力性を併有する物質のマット体から成り、
その粘着力を無くした又は弱めた平滑性の表面処理皮膜から、マット体の内部へ陥没する１個又は複数個の指先挿入凹溝を切り欠くと共に、
上記マット体の裏面へその粘着力又は別個な接着剤を介して、合成樹脂又は紙の離型シートを貼り合わせたことを特徴とする携帯通信端末の片手操作補助用具。
【請求項４】
マット体の厚みを０．５mmよりも厚く、貼り付け使用する携帯通信端末の厚みよりは薄い範囲に設定すると共に、マスキングシート又は表面処理皮膜の厚みをそのマット体よりも薄く設定したことを特徴とする請求項１又は３記載の携帯通信端末の片手操作補助用具。
【請求項５】
マット体に携帯通信端末の装飾用となる着色カラー又は模様を施したことを特徴とする請求項１又は３記載の携帯通信端末の片手操作補助用具。
【請求項６】
マット体とそのマスキングシート又は表面処理皮膜とを透視できるように定めたことを特徴とする請求項１又は３記載の携帯通信端末の片手操作補助用具。
【請求項７】
マット体を携帯通信端末又はその保護カバーの背後面と同じ大きさか又は小さく形成して、その背後面の全体又は一部へ貼り付け使用するように定めたことを特徴とする請求項１又は３記載の携帯通信端末の片手操作補助用具。
【考案の詳細な説明】
【技術分野】
【０００１】
本考案は多機能携帯電話器（ｉＰｈｏｎｅ４（登録商標）の如きスマートフォン）やタブレット端末、その他の携帯通信端末を、片手の指先でも円滑に安定良くタッチ操作できるようにするための補助用具に関する。
【背景技術】
【０００２】
従来の携帯電話器ではその器体を背後から片手で抱き持ち乍ら、その片手の親指によって必要なボタン操作を行っているが、最近のスマートフォンと通称されている多機能携帯電話器やタブレット端末の場合、その画面の露出状態にある（非折りたたみ式）器体の横幅が広く、比較的に厚肉でもあるため、これを背後から抱き持った片手の親指が、画面のタッチ操作したい目標個所まで届き難く、両手の使用を余儀なくされている意味において、大変不便である。
【０００３】
その対策となる発明が特許文献１、２に記載されている。
【先行技術文献】
【特許文献】
【０００４】
【特許文献１】特開２００９−２３９８７７号公報
【特許文献２】特開２００７−５３６０３号公報
【考案の概要】
【考案が解決しようとする課題】
【０００５】
上記特許文献１に開示された公知発明は携帯電話器における操作盤（３）の底面に指掛け段差（５）や、同じく操作盤（３）の下辺に指掛け切欠（６）を設けたものであり、そのためこれらを有する特別な仕様として、携帯電話器の製造当初から設けておかなければならず、汎用性がない。既に市販されている各種携帯電話器へ、ユーザーが言わば後付け式や互換式に適用することもできないのである。
【０００６】
他方、上記特許文献２に開示された公知発明は、携帯電話用指固定具（１０）として、その吸着部（吸盤）（２）を携帯電話器（９０）の背面へ着脱自在に取り付け固定するようになっているため、特許文献１の上記問題はないと言えるが、２本の指を押圧部（１）と吸着部（２）との上下相互間へ挿入できるように、その接続部（３）の長さ（垂立高さ）を例示された１０mm以上に寸法化する必要があり、その結果指固定具（１０）を携帯電話器（９０）の背面へ取り付け固定した使用状態では勿論のこと、これを携帯電話器（９０）から取りはずした状態でも、大きく嵩張って、衣服のポケットなどへ安定良く収納・携帯し難く、その携帯中に破損しやすい問題がある。
【課題を解決するための手段】
【０００７】
本考案はこのような諸問題の抜本的な解決を目的としており、その目的を達成するために、請求項１では多機能携帯電話器やタブレット端末、その他の携帯通信端末又はその保護カバーの背後面へ着脱自在に貼り付け使用する片手操作補助用具であって、
【０００８】
ゴムや合成樹脂、熱可塑性エラストマーなどの粘着力と弾力性を併有する物質のマット体から成り、
【０００９】
その表面へマット体の上記粘着力によって、１個又は複数個の指先挿入孔が開口する合成樹脂のマスキングシートを貼り合わせると共に、
【００１０】
同じくマット体の裏面へ上記粘着力又は別個な接着剤を介して、合成樹脂又は紙の離型シートを貼り合わせたことを特徴とする。
【００１１】
請求項１に従属する請求項２では、マスキングシートに開口する指先挿入孔を、点線状態又はハーフカット状態の未完成な型抜き加工片によって予じめ閉塞したことを特徴とする。
【００１２】
又、請求項３では多機能携帯電話器やタブレット端末、その他の携帯通信端末又はその保護カバーの背後面へ着脱自在に貼り付け使用する片手操作補助用具であって、
【００１３】
ゴムや合成樹脂、熱可塑性エラストマーなどの粘着力と弾力性を併有する物質のマット体から成り、
【００１４】
その粘着力を無くした又は弱めた平滑性の表面処理皮膜から、マット体の内部へ陥没する１個又は複数個の指先挿入凹溝を切り欠くと共に、
【００１５】
上記マット体の裏面へその粘着力又は別個な接着剤を介して、合成樹脂又は紙の離型シートを貼り合わせたことを特徴とする。
【００１６】
請求項１又は３に従属する請求項４では、マット体の厚みを０．５mmよりも厚く、貼り付け使用する携帯通信端末の厚みよりは薄い範囲に設定すると共に、マスキングシート又は表面処理皮膜の厚みをそのマット体よりも薄く設定したことを特徴とする。
【００１７】
同じく請求項５ではマット体に携帯通信端末の装飾用となる着色カラー又は模様を施したことを特徴する。
【００１８】
又、請求項６ではマット体とそのマスキングシート又は表面処理皮膜とを透視できるように定めたことを特徴とする。
【００１９】
更に、請求項７ではマット体を携帯通信端末又はその保護カバーの背後面と同じ大きさか又は小さく形成して、その背後面の全体又は一部へ貼り付け使用するように定めたことを特徴とする。
【考案の効果】
【００２０】
請求項１の構成によれば、片手操作補助用具のマット体から裏面の離型シートを剥離して、そのマット体を携帯通信端末のそれ自身又はその保護カバーの背後面へ貼り付け、表面のマスキングシートに開口している指先挿入孔を通じて、上記マット体へ滑り止め状態に粘着させた片手の親指を除く指先により、携帯通信端末を安定良く抱き持ち乍ら、その片手の親指を携帯通信端末の画面へ上方（表側）から臨ませて、その画面の希望する個所を無理なく確実にタッチ操作することができ、両手を使う必要のない利便性がある。
【００２１】
又、上記マット体は粘着力を有する物質から成るが、その表面にはマスキングシートが貼り合わされているため、そのマット体の貼り付け使用された携帯通信端末を、衣服のポケットや袋物などに収納したとしても、その衣服や袋物などに粘着してしまうおそれがなく、マット体が弾力性を有することとも相俟って、安心裡に携帯できるのである。
【００２２】
その場合、請求項２の構成を採用するならば、マット体のマスキングシートに開口する指先挿入孔が、予じめ閉塞された状態に保たれるため、その販売商品としての片手操作補助用具や不使用状態（保管中）にある片手操作補助用具のマット体が、塵埃などの付着によって汚損してしまうおそれを防止できる効果がある。
【００２３】
他方、請求項３の構成によれば、マット体の表面処理皮膜が上記請求項１のマスキングシートと同じく、そのマット体に非粘着性と平滑性を付与するため、請求項１と同等の効果を達成することができる。
【００２４】
そして、請求項１と請求項３との何れにあっても、請求項４の構成を採用するならば、その片手操作補助用具の貼り付け使用された携帯通信端末が、いたずらに厚肉化して、衣服のポケットや袋物などの内部へ収納し難くなることを予防できる効果がある。
【００２５】
同じく請求項５の構成を採用するならば、そのマット体の着色カラー又は模様により、これが貼り付け使用される携帯通信端末に、希望する独特の装飾効果を与えることができ、そのアクセサリーとしても役立つ。
【００２６】
又、請求項６の構成を採用するならば、携帯通信端末又はその保護カバーの背後面へ貼り付け使用される片手操作補助用具を、極力目立たぬ状態に保つことができ、携帯通信端末の意匠性に違和感を与えない効果がある。
【００２７】
更に、請求項７の構成を採用するならば、その片手操作補助用具の弾力性があるマット体を、携帯通信端末又はその保護カバーにおける背後面の全体へ貼り付け使用することによって、その背後面を物理的な衝撃や傷付きなどから防護したり、上記マット体を同じく携帯通信端末又はその保護カバーの背後面におけるユーザーが最も使いやすい希望の部位へ貼り付けたりできる効果がある。
【図面の簡単な説明】
【００２８】
【図１】本考案に係る携帯通信端末用片手操作補助用具の第１実施形態を示す斜面図である。
【図２】図１の２−２線断面図である。
【図３】その片手操作補助用具を携帯通信端末の背後面へ貼り付けた使用状態の斜面図である。
【図４】マスキングシートに未完成な型抜き加工片を付与した図１に対応する斜面図である。
【図５】上記片手操作補助用具の使用法を示す正面図である。
【図６】図５の背面図である。
【図７】片手の親指による画面のタッチ操作を示す正面図である。
【図８】図６の８−８線断面図である。
【図９】図６の９−９線断面図である。
【図１０】携帯通信端末における背後面の全体に貼り付けた片手操作補助用具を示す図３に対応する斜面図である。
【図１１】携帯通信端末の保護カバーとなり得る片手操作補助用具を示す図３に対応する斜面図である。
【図１２】片手操作補助用具を携帯通信端末における保護カバーの背後面へ貼り付けた使用状態の図３に対応する斜面図である。
【図１３】本考案に係る携帯通信端末用片手操作補助用具の第２実施形態を示す図１に対応する斜面図である。
【図１４】図１３の１４−１４線断面図である。
【考案を実施するための形態】
【００２９】
以下、図面に基いて本考案の具体的構成を詳述すると、先ず図１〜３はその本考案に係る携帯通信端末用片手操作補助用具の第１実施形態を示しており、（１０）はゴムや合成樹脂、熱可塑性エラストマー（好ましくはスチレン系熱可塑性エラストマーやウレタン系熱可塑性エラストマー）、その他の粘着力と弾力性を併有する物質から成形されたマット体であって、携帯通信端末（Ｐ）における就中スマートフォンと通称されている多機能携帯電話器の背後面（１１）よりも小さな任意の輪郭形状（図例では５０mm×２５mmの四角形）をなす。
【００３０】
上記マット体（１０）の厚み（ｔ１）は０．５mmよりも厚く、貼り付け使用する携帯通信端末（Ｐ）の厚み（Ｔ）よりは薄い範囲内、好ましくは２mm〜５mmの範囲内に設定する。０．５mmより薄くても、そのマット体（１０）の表面へ操作手の指先を滑り止め状態に粘着させることはできるが、指先の受け止め抵抗（摩擦抵抗）に耐えきれず、引き裂かれてしまうおそれがあるため、不適当である。
【００３１】
逆に、貼り付け使用する携帯通信端末（Ｐ）の厚み（Ｔ）よりも厚いと、その携帯通信端末（Ｐ）への貼り付け使用状態において、いたずらに大きく嵩張ることとなり、衣服のポケットなどへ安定良く収納・携帯し難い。そのため、２mm以上から携帯通信端末（Ｐ）の厚み（Ｔ）よりも薄い５mmまでの厚みに設定することが最も好ましい。
【００３２】
尚、上記マット体（１０）を携帯通信端末（Ｐ）の背後面（１１）と同じ大きさ・輪郭形状に成形しても良い。又、マット体（１０）には成形時に白色や黄色、青色、黒色、金属色などの各種着色カラーを与えたり、カラフルな模様を施したり、マット体（１０）を透明又は半透明にしたりしても良い。
【００３３】
そして、上記マット体（１０）の表面にはそれ自身の粘着力によって、好ましくは透明又は半透明の合成樹脂フィルムから成るマスキング（保護）シート（１２）が貼り合わせ一体化されており、これによってマット体（１０）の表面に非粘着性と平滑性を与えている。そのマスキングシート（１２）の厚み（ｔ２）は例えば２５μｍ〜５０μｍとして、マット体（１０）の厚み（ｔ１）よりも薄く設定すれば良い。
【００３４】
（１３）はマスキングシート（１２）に開口分布された複数の指先挿入孔であり、ここから挿入した操作手の指先を、上記マット体（１０）の表面へ滑り止め状態に粘着させることができるようになっている。この点、図１〜３では操作手（片手）における５指のうち、親指を除く任意の３指を挿入できる大きさの合計３個が円形に開口分布されているが、片手の指先を挿入できる大きさ・形状であるならば、例えば楕円形の１個であっても良く、２個や４個以上であってもさしつかえない。
【００３５】
その場合、上記マスキングシート（１２）に開口する指先挿入孔（１３）を、追って指先でも完全に抜き取ることができる図４のような点線状態か、又はハーフカット状態の未完成な型抜き加工片（１４）によって、予じめ閉塞しておくことが望ましい。マット体（１０）の表面がマスキングシート（１２）の指先挿入孔（１３）を通じて露出し、塵埃などが付着・汚損しやすいことを予防できるからである。
【００３６】
他方、上記マット体（１０）の裏面にはそれ自身の粘着力よりも好ましくは強い別個な接着剤（１５）を介して、例えば０．５mm程度の厚みを有する紙又はミクロン単位の合成樹脂フィルムから成る離型シート（１６）が貼り合わされており、これを使用時に剥離して、携帯通信端末（Ｐ）の背後面（１１）へ貼り付け固定することができるようになっている。
【００３７】
但し、このような離型シート（１６）はマット体（１０）自身の粘着力によって、その裏面へ貼り合わせ一体化しても勿論良い。その離型シート（１６）として、上記指先挿入孔（１３）の開口しないマスキングシート（１２）と同じ合成樹脂フィルムを採用することもできる趣旨である。
【００３８】
本考案に係る片手操作補助用具の第１実施形態は上記構成を備えており、その複数個を１セットに包装した販売品として、市場に提供することができ、これを購買したユーザーが使用するに当っては、上記マット体（１０）から離型シート（１６）を剥離して、その露出した接着剤（１５）又はマット体（１０）自身の粘着力により、携帯通信端末（Ｐ）の背後面（１１）へ貼り付け一体化すれば良い。この点、図３では携帯通信端末（Ｐ）よりも小さい四角形のマット体（１０）を、その通信端末（Ｐ）における背後面（１１）の中央部へ貼り付け固定している。
【００３９】
そして、そのマット体（１０）の表面に非粘着性と平滑性を付与しているマスキングシート（１２）の指先挿入孔（１３）から、例えば図５〜９のように片手の中指（Ｆ１）と薬指（Ｆ２）並びに小指（Ｆ３）を挿入して、その指先を何れもマット体（１０）の表面へ粘着させるのである。
【００４０】
そうすれば、これら合計３本の指先が粘着力での滑り止め状態に保たれるため、上記携帯通信端末（Ｐ）における器体の横幅（Ｗ）が広くても、その背後面（１１）の中央部から片幅分だけを、片手の上記指先にて確実に安定良く抱き持つことができ、その片手の残る親指（Ｆ）を携帯通信端末（Ｐ）の画面（１７）へ上方（表側）から臨ませて、残る片幅分の存在する横方向や縦方向へ余裕をもって伸ばせる結果、その画面（１７）の目標個所を広範囲に且つ円滑にタッチ操作し得るのである。
【００４１】
その場合、マット体（１０）の表面は片手の指先を受け止めて弾性変形することもあるが、その指先が離れると復元するため、繰り返し使用に支障を生じない。携帯通信端末（Ｐ）の背後面（１１）から剥ぎ取って、その片手操作補助用具の新品と貼り替えることも可能である。
【００４２】
図３では携帯通信端末（Ｐ）における背後面（１１）の中央部へ、これよりも小さな四角形のマット体（１０）を貼り付けているが、その貼り付け部位はユーザーの希望通りに選定することができる。又、そのマット体（１０）の大きさ並びに輪郭形状を図１０のように、携帯通信端末（Ｐ）における背後面（１１）のそれらと同一に形成して、その背後面（１１）の全体へ貼り付け使用しても良い。
【００４３】
特に、図１１に示唆する如く、その大きなマット体（１０）を携帯通信端末（Ｐ）の背後面（１１）のみならず、その前・後面や左右両サイド面の全体又は一部も包囲する如く貼り付け使用することにより、携帯通信端末（Ｐ）が誤って受ける物理的な衝撃や傷付きなどから防護することも可能である。更に、携帯通信端末（Ｐ）を物理的な衝撃から守るゴム製又は合成樹脂製保護カバー（１８）における背後面の全体又は一部へ、図１２のように上記マット体（１０）を貼り付け使用しても良い。
【００４４】
次に、図１３、１４は本考案に係る片手操作補助用具の第２実施形態を示しており、これではマット体（１０）を粘着力と弾力性があるアクリロニトリルブタジエンゴム（ＮＢＲ）とポリプロピレングリコール（ＰＰＧ）との合成物から、やはり携帯通信端末（Ｐ）における就中スマートフォンと通称されている多機能携帯電話器の背後面（１１）と同じ大きさ並びに輪郭形状か、又はその背後面（１１）よりも小さな任意の輪郭形状に作成している。
【００４５】
しかも、そのマット体（１０）の表面には上記第１実施形態のような指先挿入孔（１３）が開口するマスキングシート（１２）を貼り合わさず、その表面の露出状態にある。但し、そのマット体（１０）の表面は溶剤での表面脱脂や表面酸化、表面粗面化、粉体の付着、シリコーン樹脂の付着、その他の方法による表面処理皮膜（１９）として、粘着力を無くすか又は弱められた平滑状態にあり、第１実施形態のマスキングシート（１２）と同趣旨の非粘着性と平滑性が与えられている。
【００４６】
そして、そのマット体（１０）の表面をなす粘着力が無い又は弱い平滑な表面処理皮膜（１９）からマット体（１０）の内部に向かっては、一定深さ（ｄ）だけ陥没する１個又は複数個の指先挿入凹溝（２０）が切り欠かれている。その凹溝（２０）の内部はマット体（１０）の切り欠き面（カット面）として露出するため、マット体（１０）自身の粘着力を発揮する。
【００４７】
その結果、ここへ片手の指先を挿入すれば、その指先をやはりマット体（１０）自身の粘着力によって、滑り止め状態に固定維持することができ、上記第１実施形態の構成に伴なう効果と同等の効果を得られる。
【００４８】
更に、上記第１、２実施形態の何れにあっても、その片手操作補助用具のマット体（１０）は弾力性を有する比較的薄肉な平盤体であり、その粘着力のある表面が第１実施形態のマスキングシート（１２）又は第２実施形態の表面処理皮膜（１９）によって、非粘着性の平滑面に確保されているため、非常に取り扱いやすく、携帯通信端末（Ｐ）へ貼り付けた使用状態でも、衣服のポケットや袋物などの内部へ安心して収納でき、便利である。
【００４９】
尚、マット体（１０）の裏面にはそのマット体（１０）自身の粘着力によって、又は別個な接着剤（１５）を介して、合成樹脂フィルム又は紙から成る離型シート（１６）を貼り合わせることや、これを剥離することにより、携帯通信端末（Ｐ）の背後面（１１）へ貼り付け使用することなどは、上記第１実施形態の構成と実質的に同一である。マット体（１０）の表面に非粘着性と平滑性を与える表面処理皮膜（１９）の厚み（ｔ３）は、上記第１実施形態に示したマスキングシート（１２）の厚み（ｔ２）と同一に設定すれば良い。指先挿入凹溝（２０）の深さ（ｄ）についても同様である。
【符号の説明】
【００５０】
（１０）・マット体
（１１）・背後面
（１２）・マスキングシート
（１３）・指先挿入孔
（１４）・型抜き加工片
（１５）・接着剤
（１６）・離型シート
（１７）・画面
（１８）・保護カバー
（１９）・表面処理皮膜
（２０）・指先挿入凹溝
（Ｐ）・携帯通信端末
（Ｆ）・親指
（Ｆ１）・中指
（Ｆ２）・薬指
（Ｆ３）・小指
【図１】
0003173582.tif 000003
【図２】
0003173582.tif 000004
【図３】
0003173582.tif 000005
【図４】
0003173582.tif 000006
【図５】
0003173582.tif 000007
【図６】
0003173582.tif 000008
【図７】
0003173582.tif 000009
【図８】
0003173582.tif 000010
【図９】
0003173582.tif 000011
【図１０】
0003173582.tif 000012
【図１１】
0003173582.tif 000013
【図１２】
0003173582.tif 000014
【図１３】
0003173582.tif 000015
【図１４】
0003173582.tif 000016